(57)【要約】【課題】１回のテストパターン印刷で好適なプライマの吐出条件を決定できるインクジェットプリンタを提供する。【解決手段】  本発明に係るインクジェットプリンタのテストパターン印刷部１２０は、プライマ吐出条件記憶部１２１と、インク吐出条件記憶部１２２と、プライマ吐出部１２４と、インク吐出部１２５とを備える。プライマ吐出条件記憶部１２１は、複数のプライマ吐出条件を記憶する。インク吐出条件記憶部１２２は、所定のインク吐出条件を記憶する。プライマ吐出部１２４は、プライマを、プライマ吐出条件記憶部１２１に記憶された複数の吐出条件で、それぞれ記録媒体上の異なる領域に対して吐出させる。インク吐出部１２５は、プライマ上に、インク吐出条件記憶部１２２に記憶された吐出条件でインクを吐出させる。【選択図】図５
2019155823.tif 000002
【特許請求の範囲】
【請求項１】
プライマを吐出するプライマ吐出ヘッドと、インクを吐出するインク吐出ヘッドとを備えた記録ヘッドと、
前記記録ヘッドと記録媒体とを相対的に移動させる移動機構と、
前記記録媒体にテストパターンを印刷させるテストパターン印刷部を備えた制御装置と、
を備え、
前記テストパターン印刷部は、
前記プライマの吐出条件として複数の吐出条件を記憶するプライマ吐出条件記憶部と、
前記インクの吐出条件として所定の吐出条件を記憶するインク吐出条件記憶部と、
前記プライマ吐出ヘッドと前記移動機構とを制御して、前記プライマを、前記プライマ吐出条件記憶部に記憶された複数の吐出条件で、それぞれ前記記録媒体上の異なる領域に対して吐出させるプライマ吐出部と、
前記インク吐出ヘッドと前記移動機構とを制御して、前記プライマ吐出部が吐出させた前記プライマ上に、前記インク吐出条件記憶部に記憶された吐出条件で前記インクを吐出させるインク吐出部と、
を備えている、
インクジェットプリンタ。
【請求項２】
前記プライマ吐出条件記憶部は、面積当たりの吐出量が異なる複数の吐出条件を記憶している、
請求項１に記載のインクジェットプリンタ。
【請求項３】
前記プライマ吐出条件記憶部は、前記プライマの面積当たりの吐出量を、前記インク吐出条件記憶部に記憶された吐出条件における前記インクの面積当たりの吐出量に対する割合として記憶している、
請求項２に記載のインクジェットプリンタ。
【請求項４】
前記制御装置は、画像の印刷における前記プライマの吐出条件を設定可能に構成された印刷条件設定部を備え、
前記テストパターン印刷部は、
前記プライマ吐出条件記憶部に記憶された複数の吐出条件のそれぞれに対応する複数の識別符号を記憶する符号記憶部と、
前記記録ヘッドと前記移動機構とを制御して、前記複数の識別符号を前記記録媒体に印刷させる符号印刷部と、
を備え、
前記印刷条件設定部は、
前記複数の識別符号のうちの１つを入力可能に構成されたプライマ吐出条件入力部と、
前記プライマ吐出条件入力部に入力された識別符号に対応する前記プライマの吐出条件を前記画像の印刷における前記プライマの吐出条件として登録するプライマ吐出条件登録部と、
を備えている、
請求項１〜３のいずれか一つに記載のインクジェットプリンタ。
【請求項５】
プライマを吐出するプライマ吐出ヘッドと、インクを吐出するインク吐出ヘッドとを備えた記録ヘッドと、
前記記録ヘッドと記録媒体とを相対的に移動させる移動機構と、
前記記録媒体にテストパターンを印刷させるテストパターン印刷部を備えた制御装置と、
を備え、
前記テストパターン印刷部は、
前記プライマの吐出条件としてそれぞれ複数の吐出条件を記憶する複数の記憶部を備えたプライマ吐出条件記憶部と、
前記インクの吐出条件として所定の吐出条件を記憶するインク吐出条件記憶部と、
前記複数の記憶部のうちの１つを選択可能に構成された選択部と、
前記プライマ吐出ヘッドと前記移動機構とを制御して、前記プライマを、前記選択部で選択された記憶部に記憶された複数の吐出条件で、それぞれ前記記録媒体上の異なる領域に対して吐出させるプライマ吐出部と、
前記インク吐出ヘッドと前記移動機構とを制御して、前記プライマ吐出部が吐出させた前記プライマ上に、前記インク吐出条件記憶部に記憶された吐出条件で前記インクを吐出させるインク吐出部と、
を備えている、
インクジェットプリンタ。
【請求項６】
前記プライマ吐出条件記憶部の１つの記憶部は、面積当たりの吐出量が異なる複数の吐出条件を記憶している、
請求項５に記載のインクジェットプリンタ。
【請求項７】
前記プライマ吐出条件記憶部の１つの記憶部は、吐出パターンが異なる複数の吐出条件を記憶している、
請求項５または６に記載のインクジェットプリンタ。
【請求項８】
前記プライマ吐出条件記憶部の１つの記憶部は、ドットサイズが異なる複数の吐出条件を記憶している、
請求項５〜７のいずれか一つに記載のインクジェットプリンタ。
【請求項９】
前記制御装置は、画像の印刷における前記プライマの吐出条件を設定可能に構成された印刷条件設定部を備え、
前記テストパターン印刷部は、
前記プライマ吐出条件記憶部に記憶された複数の吐出条件のそれぞれに対応する複数の識別符号を記憶する符号記憶部と、
前記記録ヘッドと前記移動機構とを制御して、前記選択部で選択された前記記憶部に記憶された複数の吐出条件に対応する複数の識別符号を前記記録媒体に印刷させる符号印刷部と、
を備え、
前記印刷条件設定部は、
前記記録媒体に印刷された複数の識別符号のうちの１つを入力可能に構成されたプライマ吐出条件入力部と、
前記プライマ吐出条件入力部に入力された識別符号に対応する前記プライマの吐出条件を前記画像の印刷における前記プライマの吐出条件として登録するプライマ吐出条件登録部と、
を備えている、
請求項５〜８のいずれか一つに記載のインクジェットプリンタ。
【請求項１０】
前記インク吐出ヘッドは、
第１インクを吐出する第１インク吐出ヘッドと、
第２インクを吐出する第２インク吐出ヘッドと、
を備え、
前記インク吐出部は、前記第１インク吐出ヘッドと前記第２インク吐出ヘッドとを制御して、前記第１インクおよび前記第２インクを吐出させる、
請求項１〜９のいずれか一つに記載のインクジェットプリンタ。
【発明の詳細な説明】
【技術分野】
【０００１】
本発明は、インクジェットプリンタに関する。
【背景技術】
【０００２】
従来から、プライマを吐出するインクジェットプリンタが知られている。例えば特許文献１には、プロセスカラーインクを吐出する吐出部の他に、ホワイトインクを吐出する吐出部と、グロスインクを吐出する吐出部と、プライマーインクを吐出する吐出部とを有する記録ヘッドを備えたインクジェットプリンタが開示されている。
【先行技術文献】
【特許文献】
【０００３】
【特許文献１】特開２０１５−２０５４０７号公報
【発明の概要】
【発明が解決しようとする課題】
【０００４】
プライマはインクに先立って記録媒体に吐出され、記録媒体に対するインクの定着性を向上させるための液であるが、記録媒体の材質により好適な吐出条件が異なっている。そこで、好適なプライマの吐出条件を決定するためには、テストパターンまたは何らかの画像をプライマの吐出条件を変えて印刷し、評価する必要があった。その際、ユーザーは、印刷１回ごとにプライマの吐出条件を手動で変更する必要があった。
【０００５】
本発明はかかる点に鑑みてなされたものであり、その目的は、１回のテストパターン印刷で好適なプライマの吐出条件を決定できるインクジェットプリンタを提供することである。
【課題を解決するための手段】
【０００６】
ここに開示するインクジェットプリンタは、プライマを吐出するプライマ吐出ヘッドと、インクを吐出するインク吐出ヘッドとを備えた記録ヘッドと、前記記録ヘッドと記録媒体とを相対的に移動させる移動機構と、前記記録媒体にテストパターンを印刷させるテストパターン印刷部を備えた制御装置とを備える。前記テストパターン印刷部は、プライマ吐出条件記憶部と、インク吐出条件記憶部と、プライマ吐出部と、インク吐出部とを備えている。前記プライマ吐出条件記憶部は、前記プライマの吐出条件として複数の吐出条件を記憶する。前記インク吐出条件記憶部は、前記インクの吐出条件として所定の吐出条件を記憶する。前記プライマ吐出部は、前記プライマ吐出ヘッドと前記移動機構とを制御して、前記プライマを、前記プライマ吐出条件記憶部に記憶された複数の吐出条件で、それぞれ前記記録媒体上の異なる領域に対して吐出させる。前記インク吐出部は、前記インク吐出ヘッドと前記移動機構とを制御して、前記プライマ吐出部が吐出させた前記プライマ上に、前記インク吐出条件記憶部に記憶された吐出条件で前記インクを吐出させる。
【０００７】
上記インクジェットプリンタによれば、１回のテストパターン印刷で好適なプライマの吐出条件を決定することが可能である。
【０００８】
また、ここに開示する他のインクジェットプリンタは、プライマを吐出するプライマ吐出ヘッドと、インクを吐出するインク吐出ヘッドとを備えた記録ヘッドと、前記記録ヘッドと記録媒体とを相対的に移動させる移動機構と、前記記録媒体にテストパターンを印刷させるテストパターン印刷部を備えた制御装置とを備える。前記テストパターン印刷部は、プライマ吐出条件記憶部と、インク吐出条件記憶部と、選択部と、プライマ吐出部と、インク吐出部とを備えている。前記プライマ吐出条件記憶部は、前記プライマの吐出条件としてそれぞれ複数の吐出条件を記憶した複数の記憶部を備えている。前記インク吐出条件記憶部は、前記インクの吐出条件として所定の吐出条件を記憶する。前記選択部は、前記複数の記憶部のうちの１つを選択可能に構成されている。前記プライマ吐出部は、前記プライマ吐出ヘッドと前記移動機構とを制御して、前記プライマを、前記選択部で選択された記憶部に記憶された複数の吐出条件で、それぞれ前記記録媒体上の異なる領域に対して吐出させる。前記インク吐出部は、前記インク吐出ヘッドと前記移動機構とを制御して、前記プライマ吐出部が吐出させた前記プライマ上に、前記インク吐出条件記憶部に記憶された吐出条件で前記インクを吐出させる。
【０００９】
上記インクジェットプリンタによれば、プライマの複数の吐出条件群の中からテストパターン印刷において使用する吐出条件群を選択でき、かつ、１回のテストパターン印刷で好適なプライマの吐出条件を決定することが可能である。
【図面の簡単な説明】
【００１０】
【図１】第１実施形態に係るプリンタを示す斜視図である。
【図２】フロントカバーを開けた状態のプリンタを示す正面図である。
【図３】プリンタの要部を模式的に示した平面図である。
【図４】キャリッジ、記録ヘッド、および光照射機構を模式的に示した正面図である。
【図５】第１実施形態に係るプリンタのブロック図である。
【図６】テストパターンの一例を示す平面図である。
【図７】テストパターンの縦断面を模式的に示す断面図である。
【図８】第２実施形態に係るプリンタのブロック図である。
【発明を実施するための形態】
【００１１】
以下、図面を参照しながら、本発明の実施の形態について説明する。なお、ここで説明される実施形態は、当然ながら特に本発明を限定することを意図したものではない。また、同じ作用を奏する部材・部位には同じ符号を付し、重複する説明は適宜省略または簡略化する。
【００１２】
（第１実施形態）
図１は、第１実施形態に係るインクジェットプリンタ（以下、プリンタと呼ぶ。）１を示す斜視図である。図２は、フロントカバー２０を開けた状態のプリンタ１を示す正面図である。以下の説明では、特に断らない限り、プリンタ１を正面から見たときに、プリンタ１から遠ざかる方を前方、プリンタ１に近づく方を後方とする。左、右、上、下とは、プリンタ１を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。ただし、上記方向は説明の便宜上定めた方向に過ぎず、プリンタ１の設置態様を何ら限定するものではなく、本発明を何ら限定するものでもない。また、図面中の符号Ｙは主走査方向を示している。ここでは、主走査方向Ｙは左右方向である。符号Ｘは、副走査方向を示している。ここでは、副走査方向Ｘは前後方向である。主走査方向Ｙと副走査方向Ｘとは平面視において直交している。符号Ｚは、高さ方向、すなわち、上下方向を示している。ただし、主走査方向Ｙ、副走査方向Ｘおよび高さ方向Ｚは、特に限定されず、プリンタ１の形態に応じて適宜に設定可能である。
【００１３】
本実施形態では、プリンタ１は、インクジェット方式のプリンタである。本実施形態において、「インクジェット方式」とは、二値偏向方式または連続偏向方式などの各種の連続方式、および、サーマル方式または圧電素子方式などの各種のオンデマンド方式を含む従来公知の各種の手法によるインクジェット式のことをいう。また、プリンタ１は、いわゆる、フラットベッドタイプのプリンタである。
【００１４】
プリンタ１は、記録媒体５にインクを吐出して、記録媒体５に印刷を行う装置である。記録媒体５の材質は特に限定されず、例えば、木、金属、ガラス、紙、布などを使用することができる。また、記録媒体５の形状も特に限定されず、平板状の他、様々な立体形状の記録媒体が使用可能である。
【００１５】
図１に示すように、プリンタ１は、箱状に形成されている。本実施形態では、プリンタ１は、ケース１０と、フロントカバー２０と、操作パネル２５を備えている。ケース１０は、底部１１と、前壁部１２と、後壁部１３と、左壁部１４と、右壁部１５と、天面部１６とを有している。底部１１は、板状の部材である。前壁部１２は、底部１１の前端の右部に接続され、底部１１の前端の右部から上方に延びている。図示は省略するが、後壁部１３は、底部１１の後端に接続され、底部１１の後端から上方に延びている。左壁部１４は、底部１１の左端に接続され、底部１１の左端から上方に延びている。左壁部１４の後端は、後壁部１３の左端に接続されている。右壁部１５は、底部１１の右端に接続され、底部１１の右端から上方に延びている。ここでは、右壁部１５の前端は、前壁部１２の右端に接続され、右壁部１５の後端は、後壁部１３の右端に接続されている。天面部１６は、前壁部１２の上端、後壁部１３の上端、左壁部１４の上端、および、右壁部１５の上端にそれぞれ接続されている。図２に示すように、ケース１０の前部には、開口１７が形成されている。
【００１６】
フロントカバー２０は、ケース１０の開口１７を開閉自在に設けられている。ここでは、フロントカバー２０は、後端を軸に回転可能なように、ケース１０に支持されている。
【００１７】
本実施形態では、底部１１、前壁部１２、後壁部１３、左壁部１４、右壁部１５、天面部１６およびフロントカバー２０に囲まれることによって、内部空間１８が形成されている。内部空間１８は、プリンタ１による印刷が行われる空間である。フロントカバー２０の後端を軸にして、フロントカバー２０を上方に回転させることによって、内部空間１８と外部空間とが連通される。
【００１８】
本実施形態では、図１に示すように、フロントカバー２０には、窓部２１が設けられている。窓部２１は、例えば、透明のアクリル板によって形成されている。作業者は、窓部２１を通じて内部空間１８を視認することが可能である。
【００１９】
操作パネル２５は、ケース１０の右前部に設けられている。ここでは、操作パネル２５は、天面部１６の右前部に設けられている。操作パネル２５は、作業者が印刷に関する操作を行うパネルである。
【００２０】
次に、プリンタ１の内部構成について説明する。図３は、プリンタ１の要部を模式的に示した平面図である。なお、図３では、前壁部１２、後壁部１３、左壁部１４、右壁部１５、天面部１６およびフロントカバー２０が取り外されている。図４は、キャリッジ６１、記録ヘッド３０、光照射機構４０を模式的に示した正面図である。図５は、プリンタ１に係るブロック図である。図２〜図５に示すように、プリンタ１は、記録ヘッド３０と、インクカートリッジ３５と、光照射機構４０と、テーブル５０と、移動機構６０と、制御装置１００とを備えている。
【００２１】
記録ヘッド３０は、キャリッジ６１に設けられている。記録ヘッド３０は、プライマを吐出するプライマ吐出ヘッド３１と、インクを吐出するインク吐出ヘッド３２とを備えている。
【００２２】
プライマは、記録媒体５に対して良好にインクを定着させるために使用される液体であり、記録媒体５とインクとのバインダの役目を果たす。プライマは、記録媒体５とインクとの間に吐出される。本実施形態では、プライマ吐出ヘッド３１の数は「１」であるが、プライマ吐出ヘッド３１の数は特に限定されない。記録媒体５の材料によって適切なプライマの種類が異なる場合もあり、記録ヘッド３０は、複数のプライマ吐出ヘッド３１を備えていてもよい。
【００２３】
また、プライマの好適な吐出条件は、記録媒体５の素材によって異なることがあり、ある素材において好適な吐出条件でプライマを吐出しても、別の素材ではプライマが記録媒体５上で十分に拡散しない、あるいは拡散し過ぎるといったことが起こりうる。プライマの吐出条件が好適に調整されないと、インクが記録媒体５にうまく定着せず、剥離しやすくなる等の問題が起こる場合がある。
【００２４】
本実施形態に係るインク吐出ヘッド３２は、第１インク吐出ヘッド３２Ｃ、第２インク吐出ヘッド３２Ｍ、第３インク吐出ヘッド３２Ｙ、第４インク吐出ヘッド３２Ｋを備えている。第１インク吐出ヘッド３２Ｃは、第１のインクとしてシアンインクを吐出する。第２インク吐出ヘッド３２Ｍは、第２のインクとしてマゼンタインクを吐出する。第３インク吐出ヘッド３２Ｙは、第３のインクとしてイエローインクを吐出する。第４インク吐出ヘッド３２Ｋは、第４のインクとしてブラックインクを吐出する。本実施形態では、インク吐出ヘッド３２の数は「４」であるが、インク吐出ヘッド３２の数は特に限定されない。
【００２５】
プライマ吐出ヘッド３１および複数のインク吐出ヘッド３２は、主走査方向Ｙに並んで配置されている。図示は省略するが、プライマ吐出ヘッド３１および複数のインク吐出ヘッド３２の底面には、それぞれ複数のノズルが形成されている。プライマ吐出ヘッド３１および複数のインク吐出ヘッド３２は、このノズルから、下方に向かって、それぞれプライマおよびインクを吐出する。
【００２６】
プライマ吐出ヘッド３１および複数のインク吐出ヘッド３２には、それぞれインクカートリッジ３５が接続されている。プライマ吐出ヘッド３１および複数のインク吐出ヘッド３２は、図示しないインクチューブによってインクカートリッジ３５に接続されている。プライマ吐出ヘッド３１と接続されたインクカートリッジ３５には、プライマが収容されている。第１インク吐出ヘッド３２Ｃと接続されたインクカートリッジ３５には、シアンインクが収容されている。第２インク吐出ヘッド３２Ｍと接続されたインクカートリッジ３５には、マゼンタインクが収容されている。第３インク吐出ヘッド３２Ｙと接続されたインクカートリッジ３５には、イエローインクが収容されている。第４インク吐出ヘッド３２Ｋと接続されたインクカートリッジ３５には、ブラックインクが収容されている。本実施形態では、底部１１の左後部にインクカートリッジ収容部３６が設けられ、インクカートリッジ３５は、インクカートリッジ収容部３６に収容されている。
【００２７】
本実施形態では、プライマおよびインクは紫外線硬化性のプライマおよびインクである。紫外線硬化プライマおよびインクは、紫外線が照射されることによって硬化するプライマおよびインクである。
【００２８】
図４に示すように、本実施形態では、光照射機構４０は、キャリッジ６１に設けられている。光照射機構４０は、第１紫外線照射ランプ４１および第２紫外線照射ランプ４２から構成される。第１紫外線照射ランプ４１および第２紫外線照射ランプ４２は、テーブル５０上に向けて、記録ヘッド３０から吐出されたプライマおよびインクを硬化させる紫外線を発する。第１紫外線照射ランプ４１は、キャリッジ６１の左側面、記録ヘッド３０よりも左方に配置されている。第２紫外線照射ランプ４２は、キャリッジ６１の右側面、記録ヘッド３０よりも右方に配置されている。
【００２９】
テーブル５０は、記録媒体５が載置される部材である。図２に示すように、テーブル５０は、ケース１０内の内部空間１８に配置されている。テーブル５０は、記録ヘッド３０、第１紫外線照射ランプ４１、および第２紫外線照射ランプ４２よりも下方に配置されている。図３に示すように、テーブル５０は、平面視において、底部１１における主走査方向Ｙの中央部分に配置されている。
【００３０】
移動機構６０は、記録ヘッド３０と記録媒体５とを相対的に移動させる機構である。即ち、記録媒体５が載置されたテーブル５０に対して、記録ヘッド３０を移動させる機構である。本実施形態では、キャリッジ６１には記録ヘッド３０とともに光照射機構４０が搭載されており、移動機構６０は光照射機構４０もテーブル５０に対して移動させる。本実施形態では、移動機構６０は、テーブル５０を副走査方向Ｘ（前後方向）および高さ方向Ｚ（上下方向）に動かし、記録ヘッド３０および光照射機構４０を主走査方向Ｙ（左右方向）に動かす。ただし、この移動の仕方は一つの例であって、移動機構６０が、テーブル５０、記録ヘッド３０、および光照射機構４０を動かす方向は、上記方向に限定されない。また、移動機構６０は、テーブル５０だけ、または記録ヘッド３０および光照射機構４０だけを移動させる構成であってもよい。移動機構６０は、ここでは、キャリッジ６１と、ガイドレール６２と、ヘッド駆動装置６３と、第１テーブル移動機構６４と、第２テーブル移動機構６５とを備えている。
【００３１】
ガイドレール６２は、キャリッジ６１を主走査方向Ｙにガイドする部材である。図２に示すように、ガイドレール６２は、主走査方向Ｙに延びている。本実施形態では、ケース１０内には、主走査方向Ｙに延びた内壁１９が設けられている。内壁１９の左端は、左壁部１４に接続され、内壁１９の右端は、右壁部１５に接続されている。ガイドレール６２は、内壁１９に固定されている。
【００３２】
キャリッジ６１は、ガイドレール６２に摺動自在に係合している。キャリッジ６１は、ガイドレール６２に沿って主走査方向Ｙへの移動が可能である。図４に示すように、キャリッジ６１には、記録ヘッド３０、第１紫外線照射ランプ４１、および第２紫外線照射ランプ４２が設けられている。キャリッジ６１において、第１紫外線照射ランプ４１および第２紫外線照射ランプ４２、記録ヘッド３０は、主走査方向Ｙに並ぶように配置されている。
【００３３】
キャリッジ６１、記録ヘッド３０、第１紫外線照射ランプ４１、および第２紫外線照射ランプ４２は、一体となって、ガイドレール６２に沿って主走査方向Ｙに移動する。本実施形態では、図３に示すように、キャリッジ６１には、ヘッド駆動装置６３が接続されている。ヘッド駆動装置６３は、キャリッジ６１をガイドレール６２に沿って主走査方向Ｙに移動させる装置である。ヘッド駆動装置６３が駆動することによって、キャリッジ６１、記録ヘッド３０、第１紫外線照射ランプ４１、および第２紫外線照射ランプ４２は、主走査方向Ｙに移動する。ヘッド駆動装置６３の種類は特に限定されないが、例えば、ヘッド駆動装置６３はモータを備えている。
【００３４】
第１テーブル移動機構６４は、テーブル５０を副走査方向Ｘに移動させる。図３に示すように、平面視において、第１テーブル移動機構６４は、底部１１の主走査方向Ｙの中央部分に開けられた開口１１ａの下に設けられている。第１テーブル移動機構６４は、第１シャフト６４ａと、第２シャフト６４ｂと、搬送部材６４ｃと、第１駆動モータ６４ｄとを備えている。第１シャフト６４ａおよび第２シャフト６４ｂは、副走査方向Ｘに延びている。第１シャフト６４ａと第２シャフト６４ｂとは平行に配置されている。第１シャフト６４ａおよび第２シャフト６４ｂは、底部１１に支持されている。搬送部材６４ｃは、第１シャフト６４ａおよび第２シャフト６４ｂに対して摺動自在に設けられている。本実施形態では、搬送部材６４ｃは、平板６４ｃ１と、第１筒状部６４ｃ２と、第２筒状部６４ｃ３とを有している。平板６４ｃ１は、底部１１の開口１１ａの下方に位置している。図２、図３に示すように、第１筒状部６４ｃ２および第２筒状部６４ｃ３は、中空の筒状の部材であって、例えば、ボールブッシュを備えている。第１筒状部６４ｃ２は、平板６４ｃ１の左端に設けられ、第２筒状部６４ｃ３は、平板６４ｃ１の右端に設けられている。第１筒状部６４ｃ２には、第１シャフト６４ａが摺動自在に挿入されている。第２筒状部６４ｃ３には、第２シャフト６４ｂが摺動自在に挿入されている。図５に示すように、第１駆動モータ６４ｄは、搬送部材６４ｃを副走査方向Ｘに移動させる駆動源である。図３に示すように、搬送部材６４ｃは、第１駆動モータ６４ｄの駆動によって、第１シャフト６４ａおよび第２シャフト６４ｂに沿って、副走査方向Ｘに移動する。搬送部材６４ｃの上には、高さ調整部材６５ａを介して、テーブル５０が載置されている。そこで、第１テーブル移動機構６４は、テーブル５０を副走査方向Ｘに移動することができる。
【００３５】
図２に示すように、第２テーブル移動機構６５は、テーブル５０を高さ方向Ｚ（上下方向）に移動させる機構である。第２テーブル移動機構６５は、底部１１に設けられた開口１１ａの下で第１テーブル移動機構６４と接続され、開口１１ａを通ってテーブル５０を支持している。第２テーブル移動機構６５は、高さ調整部材６５ａと、第２駆動モータ６５ｂとを備えている。高さ調整部材６５ａは、高さが可変な部材である。高さ調整部材６５ａは、高さを調整する機構として、例えば、ボールねじ機構を備えている。第２駆動モータ６５ｂは、高さ調整部材６５ａに接続されており、駆動することで、高さ調整部材６５ａの高さを調整する。高さ調整部材６５ａの高さが変更されることによって、テーブル５０の高さが調整される。
【００３６】
図５に示すように、制御装置１００は、操作パネル２５、プライマ吐出ヘッド３１、第１〜第４インク吐出ヘッド３２Ｃ〜３２Ｋ、第１紫外線照射ランプ４１、第２紫外線照射ランプ４２、ヘッド駆動装置６３、第１駆動モータ６４ｄ、第２駆動モータ６５ｂと接続され、それらの動作を制御している。制御装置１００は、例えば、プリンタ１に接続されたコンピュータであり、中央演算処理装置（以下、ＣＰＵという。）と、ＣＰＵが実行するプログラムなどが格納されたＲＯＭと、ＲＡＭなどを備えていてもよい。制御装置１００の各部は、ソフトウェアによって構成されていてもよいし、ハードウェアによって構成されていてもよい。また、各部は、プロセッサであってもよいし、回路であってもよい。制御装置１００の構成は特に限定されない。図５に示すように、制御装置１００は、画像印刷部１１０と、テストパターン印刷部１２０とを備えている。
【００３７】
画像印刷部１１０は、画像の印刷動作を制御する部位である。画像印刷部１１０は、プライマ吐出ヘッド３１、第１〜第４インク吐出ヘッド３２Ｃ〜３２Ｋ、第１紫外線照射ランプ４１、第２紫外線照射ランプ４２、ヘッド駆動装置６３、第１駆動モータ６４ｄ、第２駆動モータ６５ｂの動作を制御して、記録媒体５に対して画像の印刷を行わせる。画像印刷部１１０は、印刷条件設定部１１１と印刷制御部１１２とを備えている。
【００３８】
印刷条件設定部１１１は、ユーザーが画像の印刷条件を設定する部位である。印刷条件設定部１１１は、画像の印刷における各インクの吐出条件を設定可能に構成されるともに、画像の印刷におけるプライマの吐出条件を設定可能に構成されている。印刷条件設定部１１１は、インク吐出条件入力部１１１ａと、インク吐出条件登録部１１１ｂと、プライマ吐出条件入力部１１１ｃと、プライマ吐出条件登録部１１１ｄとを備えている。インク吐出条件入力部１１１ａは、ユーザーがインクの吐出条件を入力する部位である。インクの吐出条件としては、例えばインクドットの解像度などが入力される。インク吐出条件登録部１１１ｂは、インク吐出条件入力部１１１ａに入力されたインクの吐出条件を画像の印刷におけるインクの吐出条件として登録する部位である。即ち、プリンタ１は、画像の印刷においては、インク吐出条件登録部１１１ｂに登録された吐出条件でインクを吐出する。プライマ吐出条件入力部１１１ｃは、ユーザーが画像印刷時におけるプライマの吐出条件を入力する部位である。プライマの吐出条件およびその入力方法については後述する。プライマ吐出条件登録部１１１ｄは、プライマ吐出条件入力部１１１ｃに入力されたプライマの吐出条件を、画像の印刷におけるインクの吐出条件として登録する。即ち、プリンタ１は、画像の印刷においては、プライマ吐出条件登録部１１１ｄに登録された吐出条件でプライマを吐出する。インク吐出条件入力部１１１ａおよびプライマ吐出条件入力部１１１ｃは、例えば操作パネル２５や外部の表示装置などに入力画面を表示するように構成されている。
【００３９】
印刷制御部１１２は、各部を制御して画像を印刷させる部位である。印刷制御部１１２は、印刷条件設定部１１１に登録されたプライマおよびインクの吐出条件に基づいて、プライマ吐出ヘッド３１、第１〜第４インク吐出ヘッド３２Ｃ〜３２Ｋ、第１紫外線照射ランプ４１、第２紫外線照射ランプ４２、ヘッド駆動装置６３、第１駆動モータ６４ｄ、第２駆動モータ６５ｂの動作を制御し、記録媒体５に対して画像の印刷を行わせる。
【００４０】
テストパターン印刷部１２０は、記録媒体５にテストパターンを印刷させる部位である。本実施形態に係るプリンタ１は、ユーザーがプライマの吐出条件を選定するためのテストパターンを記録媒体５に対して印刷できるように構成されている。テストパターン印刷部１２０は、プライマ吐出条件記憶部１２１と、インク吐出条件記憶部１２２と、符号記憶部１２３と、プライマ吐出部１２４と、インク吐出部１２５と、符号印刷部１２６とを備えている。
【００４１】
プライマ吐出条件記憶部１２１は、プライマの吐出条件として複数の吐出条件を記憶している。詳しくは、プライマ吐出条件記憶部１２１は、面積当たりの吐出量が異なる複数の吐出条件を記憶している。プライマ吐出条件記憶部１２１におけるプライマの面積当たりの吐出量の定義方法は特に限定されないが、本実施形態に係るプライマ吐出条件記憶部１２１は、プライマの面積当たりの吐出量を、インク吐出条件記憶部１２２に記憶された吐出条件（後述）におけるインクの面積当たりの吐出量に対する割合として記憶している。プライマ吐出条件記憶部１２１が記憶している、テストパターン印刷におけるプライマの吐出条件の詳細については後述する。なお、以下では適宜、プライマまたはインクの面積当たりの吐出量のことを「吐出密度」とも称する。
【００４２】
インク吐出条件記憶部１２２は、インクの吐出条件として所定の吐出条件を記憶する部位である。インク吐出条件記憶部１２２は、テストパターン印刷におけるインクの吐出条件として、１つの吐出条件を記憶している。詳しくは、インク吐出条件記憶部１２２は、テストパターン印刷におけるインクの吐出条件として、インクの所定の吐出密度を記憶している。
【００４３】
符号記憶部１２３は、プライマ吐出条件記憶部１２１に記憶された複数の吐出条件のそれぞれに対応する複数の識別符号を記憶する部位である。テストパターン印刷部１２０においては、プライマ吐出条件記憶部１２１が記憶するプライマの複数の吐出条件のそれぞれに異なる識別符号が割り当てられており、符号記憶部１２３はその識別符号を記憶している。本実施形態では、識別符号は、インクの吐出密度に対するプライマの吐出密度の割合として表される。例えばプライマの複数の吐出条件のうちの１つにおいて、その吐出密度がインクの吐出密度の５０％であった場合、その識別符号は「５０％」である。識別符号の詳細については後述する。
【００４４】
プライマ吐出部１２４は、プライマ吐出ヘッド３１と移動機構６０とを制御して、プライマを、プライマ吐出条件記憶部１２１に記憶された複数の吐出条件で、それぞれ記録媒体５上の異なる領域に対して吐出させる。即ち、プライマ吐出部１２４は、プライマ吐出条件記憶部１２１に記憶された全ての吐出条件でプライマを吐出させるとともに、異なる吐出条件でプライマが吐出された領域が互いに重ならないように、吐出場所を異なった場所に配置する。テストパターンにおけるプライマの吐出領域については後述する。
【００４５】
インク吐出部１２５は、インク吐出ヘッド３２と移動機構６０とを制御して、プライマ吐出部１２４が吐出させたプライマ上に、インク吐出条件記憶部１２２に記憶された吐出条件でインクを吐出させる。即ち、インク吐出部１２５は、プライマ吐出部１２４がプライマを吐出させた後に、吐出されたプライマに重ねてインクを吐出する。ここでは、インク吐出部１２５は、第１インク吐出ヘッド３２Ｃを制御してシアンインクを吐出させ、第２インク吐出ヘッド３２Ｍを制御してマゼンタインクを吐出させ、第３インク吐出ヘッド３２Ｙを制御してイエローインクを吐出させ、第４インク吐出ヘッド３２Ｋを制御してブラックインクを吐出させるように構成されている。インク吐出部１２５によるインクの吐出の詳細については後述する。
【００４６】
符号印刷部１２６は、記録ヘッド３０と移動機構６０とを制御して、複数の識別符号を記録媒体５に印刷させる部位である。この識別符号は、符号記憶部１２３が記憶している識別符号であり、プライマ吐出条件記憶部１２１が記憶しているプライマの吐出条件に対応している。符号印刷部１２６は、プライマ吐出ヘッド３１からプライマを吐出させ、第１〜第４インク吐出ヘッド３２Ｃ〜３２Ｋからインクを吐出させて、識別符号を印刷する。例えば、識別符号が「５０％」である場合には、「５０％」という文字を記録媒体５に印刷する。１つの識別符号が印刷される記録媒体５上の位置は、当該識別符号に対応する吐出条件でプライマが吐出される領域の近傍に設定されている。この識別符号の印刷位置については後述する。
【００４７】
図６は、本実施形態に係るプリンタ１が印刷するテストパターンの一例を示す平面図である。また、図７は、テストパターンの縦断面を模式的に示す断面図である。図６に示されるように、プリンタ１が印刷するテストパターンは、左右方向に１０個のテストパターンＰ１〜Ｐ１０が並ぶように構成されている。１０個のテストパターンＰ１〜Ｐ１０は、それぞれプライマの吐出密度を変えて形成されたテストパターンである。１０個のテストパターンＰ１〜Ｐ１０は、それぞれ記録媒体５上の異なる領域に形成され、互いに重ならないように配置されている。テストパターンＰ１〜Ｐ１０は、左方からＰ１、Ｐ２、・・・Ｐ１０の順に配置されている。また、１つのテストパターンは、７つの異なる色に着色された７つの領域から構成されている。上記７つの領域は、前後方向に並んで形成されている。本実施形態では、７つの色は、後方から順に、シアンＣ、マゼンタＭ、イエローＹｅ、ブラックＫ、第１の混色Ｍｘ１、第２の混色Ｍｘ２、第３の混色Ｍｘ３である。
【００４８】
図７に示されるように、１つのテストパターンは、プライマＰｒを下層とし、インクＩｎを上層として２層に形成されている。インクＩｎは、プライマＰｒが吐出された後に、プライマＰｒの上に吐出される。
【００４９】
図６に示すように、１０個のテストパターンＰ１〜Ｐ１０の前方には、それぞれ識別符号Ｓ１〜Ｓ１０が印刷されている。識別符号Ｓ１〜Ｓ１０は、それぞれ、その後方に形成されたテストパターンＰ１〜Ｐ１０におけるプライマＰｒの吐出条件に対応している。ここでは、識別符号Ｓ１〜Ｓ１０は、識別符号に対応する吐出条件で吐出されたプライマＰｒと、１色のインクＩｎで形成されている。ただし、識別符号Ｓ１〜Ｓ１０はテストパターンＰ１〜Ｐ１０と対応する位置に印刷されていればよく、印刷条件や印刷位置は特に限定されない。図６に示すように、１０個の識別符号Ｓ１〜Ｓ１０は、Ｓ１から順に、３５％、４０％、４５％、５０％、５５％、６０％、６５％、７０％、７５％、８０％と印刷されている。これら識別符号Ｓ１〜Ｓ１０の数値（％）は、インクＩｎの吐出密度を１００％としたときのプライマＰｒの吐出密度を表している。例えば、テストパターンＰ１の印刷においては、プライマＰｒはインクＩｎの吐出密度の３５％の吐出密度で吐出されている。テストパターンＰ２の印刷においては、プライマＰｒはインクＩｎの吐出密度の４０％の吐出密度で吐出されている。以下同様に、右方のテストパターンに移るごとにプライマＰｒの吐出密度は５％ずつ上がっていき、テストパターンＰ１０では、吐出密度は８０％である。
【００５０】
上記したテストパターンＰ１〜Ｐ１０は、例えば以下のようなプロセスで印刷される。まず、副走査方向Ｘの１つの位置において、キャリッジ６１が主走査方向Ｙに走査され、テストパターンＰ１〜Ｐ１０のそれぞれ一部が形成される。その内部のプロセスにおいては、まずプライマＰｒが所定の領域に所定の吐出密度で吐出される。次に、プライマＰｒが硬化される。例えば、キャリッジ６１が右方に移動するときにプライマＰｒの吐出が行われる場合には、記録ヘッド３０よりも進行方向後方（左方）に配置された第１紫外線照射ランプ４１が点灯され、吐出済みのプライマＰｒが硬化される。次に、キャリッジ６１が左方に戻るときに、硬化済みのプライマＰｒの上にインクＩｎが吐出され、第２紫外線照射ランプ４２によって硬化される。この作業を副走査方向Ｘの位置を変えて繰り返すことにより、テストパターンＰ１〜Ｐ１０が印刷される。
【００５１】
ただし、上記プロセスは１つの好適な例であり、テストパターンは、他のプロセスによって形成されてもよい。例えば、プライマＰｒおよびインクＩｎの硬化は、キャリッジ６１がプライマＰｒおよびインクＩｎの吐出の際に移動する方向とは逆方向に戻るときに実施されてもよい。また、プライマＰｒの層の形成とインクＩｎの層の形成とは連続的に行われなくともよく、例えば、まずプライマＰｒの層を全て形成した後に、インクＩｎの層をその上から形成してもよい。
【００５２】
上記のようにしてテストパターンＰ１〜Ｐ１０が記録媒体５に印刷された後、ユーザーはテストパターンＰ１〜Ｐ１０を評価し、プライマＰｒの好適な吐出条件を１つ選択する。この評価は、例えば目視やインクＩｎの剥離試験などを通して行われる。
【００５３】
本実施形態に係るプリンタ１の画像印刷部１１０は、プライマ吐出条件入力部１１１ｃとプライマ吐出条件登録部１１１ｄとを備え、テストパターンの評価をもとにユーザーが選択したプライマＰｒの吐出条件を、画像印刷の際のプライマＰｒの吐出条件として登録できるように構成されている。ここでは、プライマ吐出条件入力部１１１ｃは、複数の識別符号Ｓ１〜Ｓ１０のうちの１つを入力可能に構成されている。プライマ吐出条件入力部１１１ｃは、表示装置などに入力画面を表示し、ユーザーはその入力画面を通して識別符号Ｓ１〜Ｓ１０のいずれかを入力する。プライマ吐出条件登録部１１１ｄは、プライマ吐出条件入力部１１１ｃに入力された識別符号に対応するプライマＰｒの吐出条件を画像の印刷におけるプライマＰｒの吐出条件として登録する。例えば好適なテストパターンとしてテストパターンＰ５を選択した場合、ユーザーはプライマ吐出条件入力部１１１ｃに「５５％」と入力する。その場合、プライマ吐出条件登録部１１１ｄは、画像印刷におけるプライマＰｒの吐出条件として、インクの吐出密度に対する吐出密度が５５％の吐出条件を登録する。
【００５４】
このように、本実施形態に係るプリンタ１は、記録媒体５にテストパターンを印刷させるテストパターン印刷部１２０を備え、１回のテストパターン印刷で好適なプライマの吐出条件を決定できるように構成されている。本実施形態では、テストパターン印刷部１２０は、プライマ吐出条件記憶部１２１と、インク吐出条件記憶部１２２と、プライマ吐出部１２４と、インク吐出部１２５とを備えている。プライマ吐出条件記憶部１２１は、プライマの吐出条件として複数の吐出条件を記憶している。インク吐出条件記憶部１２２は、インクの吐出条件として所定の吐出条件を記憶している。プライマ吐出部１２４は、プライマ吐出ヘッド３１と移動機構６０とを制御して、プライマを、プライマ吐出条件記憶部１２１に記憶された複数の吐出条件で、それぞれ記録媒体５上の異なる領域に対して吐出させる。インク吐出部１２５は、インク吐出ヘッド３２と移動機構６０とを制御して、プライマ吐出部１２４が吐出させたプライマ上に、インク吐出条件記憶部１２２に記憶された吐出条件でインクを吐出させる。本実施形態に係るプリンタ１によれば、記録媒体５上の異なる領域に、それぞれ異なるプライマの吐出条件に基づいてテストパターンが形成されるため、１回のテストパターン印刷で好適なプライマの吐出条件を決定することができる。
【００５５】
これに対し、プライマを使用する従来のプリンタでは、プライマの好適な吐出条件の調整は、ユーザーがプライマの吐出条件を手動で変えながら、繰り返しテストを行うことで決定されていた。従って、プライマの吐出条件の変更はテストの回数だけ行われていた。また、プライマおよびインクの吐出場所を変更しない限りは、記録媒体もテストのたびに交換しなければならず、記録媒体もテストの回数だけ消費されていた。このようなテストは手間が掛かるとともに、記録媒体が比較的高価な素材である場合には、費用的にも負担となることがあった。本実施形態に係るプリンタ１によれば、上記したような従来の技術の問題を解決することができる。
【００５６】
また、本実施形態では、テストパターンＰ１〜Ｐ１０はそれぞれ複数の色（ここでは７色）に色分けされた複数の領域（ここでは７つの領域）を備えており、インクの種類、記録媒体の種類、およびプライマの吐出条件の３者の間の相性を確認できるように構成されている。
【００５７】
また、本実施形態では、プライマの吐出条件は、面積当たりの吐出量（吐出密度）として設定される。さらに詳しくは、インクの面積当たりの吐出量に対する割合として設定されている。プライマの面積当たりの吐出量は記録媒体５に対するインクの定着具合に影響すると考えられるため、プライマの吐出条件を面積当たりの吐出量として設定することにより、記録媒体５に対するインクの定着をテストパターンで確認することができる。また、プライマの吐出条件がインクの面積当たりの吐出量に対する割合として設定されることにより、インクの面積当たりの吐出量に連動する形でプライマの吐出条件を決定することができる。
【００５８】
さらに、本実施形態では、複数のプライマの吐出条件に対応する識別符号も記録媒体５に印刷され、ユーザーが識別符号をプライマ吐出条件入力部１１１ｃに入力することによって、その識別符号に対応するプライマの吐出条件が画像印刷時におけるプライマの吐出条件として登録される。このような構成によれば、吐出条件の入力間違いが起こりにくく、作業も容易である。
【００５９】
なお、本実施形態では、図６に示したようにテストパターンはＰ１〜Ｐ１０の１０個であったが、テストパターンの数は限定されない。また、テストパターン間における吐出条件の差は、図６の場合は５％刻みであったが、それに限定されるわけではない。また、１つのテストパターンにおいて使用するインクの色も４色でなくともよく（例えば１色でもよい）、混色を配置するかどうか、混色を何種類配置するか等も特に限定されるものではない。さらに、本実施形態では識別符号は吐出密度の数値そのものであったが、それに限られず、例えば、左から１、２・・・等という識別符号であってもよい。その他、テストパターンのレイアウトなども図６のものに限定されない。
【００６０】
（第２実施形態）
第２実施形態は、プライマ吐出条件記憶部にさらに複数の記憶部が設けられ、各記憶部がそれぞれ異なるパラメータに基づいた複数の吐出条件を記憶している実施形態である。第２実施形態に係るテストパターン印刷部は、ユーザーが１つの記憶部を選択できる選択部を備えている。第２実施形態は、上記した差異を除いて第１実施形態と共通である。そこで、以下の第２実施形態の説明においては第１実施形態と共通の部材には共通の符号を付すものとし、重複する説明は適宜、省略または簡略化する。
【００６１】
図８は、本実施形態に係るプリンタ１のブロック図である。図８に示されるように、本実施形態に係るテストパターン印刷部１２０Ａは、選択部１２７を備えている。また、本実施形態に係るプライマ吐出条件記憶部１２１Ａは、プライマの吐出条件としてそれぞれ複数の吐出条件を記憶する複数の記憶部を備えている。詳しくは、プライマ吐出条件記憶部１２１Ａは、第１記憶部１２１Ａ１と、第２記憶部１２１Ａ２と、第３記憶部１２１Ａ３とを備えている。
【００６２】
第１記憶部１２１Ａ１は、面積当たりの吐出量（吐出密度）が異なる複数の吐出条件を記憶している。第１記憶部１２１Ａ１では、パラメータとしてプライマの吐出密度が設定され、吐出密度が異なる複数の吐出条件が記憶されている。複数の吐出条件の設定の仕方は限定されないが、第１記憶部１２１Ａ１に記憶されるプライマの吐出条件は、第１実施形態におけるプライマ吐出条件記憶部１２１によるものと同じであってもよい。
【００６３】
第２記憶部１２１Ａ２は、吐出パターンが異なる複数の吐出条件を記憶している。第２記憶部１２１Ａ２では、パラメータとしてプライマの吐出パターンが設定され、吐出パターンが異なる複数の吐出条件が記憶されている。吐出パターンとは、ここでは、プライマによる領域内の埋め方（例えば、ベタ塗り、格子状など）や、表面処理（グロス調、マット調など）などのことである。プライマの吐出パターンを変えることで印刷の意匠的効果が変わることがあり、プライマの吐出パターンというパラメータは、意匠的効果を好適なものにしたい場合に選択される。
【００６４】
第３記憶部１２１Ａ３は、ドットサイズが異なる複数の吐出条件を記憶している。第３記憶部１２１Ａ３では、パラメータとしてプライマのドットサイズが設定され、ドットサイズが異なる複数の吐出条件が記憶されている。プライマのドットサイズを変えることで、インクの定着性や印刷の意匠的効果が変わることがあり、ドットサイズというパラメータは、そのような場合に選択される。第３記憶部１２１Ａ３には、例えば、プライマのドットを最も小さいＳサイズのドットだけで構成する吐出条件、Ｓサイズよりも大きいＭサイズのドットだけで構成する吐出条件、Ｍサイズよりも大きいＬサイズのドットだけで構成する吐出条件、Ｓ、Ｍ、Ｌドットのうちの２つまたは３つのドットで構成する吐出条件などが記憶される。
【００６５】
選択部１２７は、複数の記憶部１２１Ａ１〜１２１Ａ３のうちの１つを選択可能に構成されている。選択部１２７は、例えば表示装置などに複数の記憶部１２１Ａ１〜１２１Ａ３のうちの１つの記憶部を選択させる操作画面を表示させる。ユーザーは、その操作画面を操作して複数の記憶部１２１Ａ１〜１２１Ａ３のうちの１つを選択する。即ち、プライマの吐出密度、吐出パターン、ドットサイズのうちのどのパラメータに基づいて吐出条件を振るかを選択する。
【００６６】
本実施形態に係るプライマ吐出部１２４Ａは、プライマ吐出ヘッド３１と移動機構６０とを制御して、プライマを、選択部１２７で選択された記憶部（ここでは、第１記憶部１２１Ａ１〜第３記憶部１２１Ａ３のうちのいずれか）に記憶された複数の吐出条件で、それぞれ記録媒体５上の異なる領域に対して吐出させるように構成されている。
【００６７】
符号記憶部１２３Ａは、３つの符号記憶部１２３Ａ１〜１２３Ａ３を備えている。第１符号記憶部１２３Ａ１は、プライマ吐出条件記憶部１２１Ａの第１記憶部１２１Ａ１に記憶されたプライマの吐出条件に対応する識別符号を記憶している。第２符号記憶部１２３Ａ２は、プライマ吐出条件記憶部１２１Ａの第２記憶部１２１Ａ２に記憶されたプライマの吐出条件に対応する識別符号を記憶している。第３符号記憶部１２３Ａ３は、プライマ吐出条件記憶部１２１Ａの第３記憶部１２１Ａ３に記憶されたプライマの吐出条件に対応する識別符号を記憶している。全体として、本実施形態に係る符号記憶部１２３Ａも、第１実施形態における符号記憶部１２３と同様に、プライマ吐出条件記憶部１２１Ａに記憶された複数の吐出条件のそれぞれに対応する複数の識別符号を記憶している。第１符号記憶部１２３Ａ１が記憶する識別符号は、第１実施形態における符号記憶部１２３が記憶する識別符号と同様に、吐出密度の数値であっても、番号であってもよい。第２符号記憶部１２３Ａ２が記憶する識別符号は、例えば、ベタ、格子、グロス、マット等の吐出パターンの名称であってもよいし、番号であってもよい。また、第３符号記憶部１２３Ａ３が記憶する識別符号は、例えば、Ｓ、Ｍ、Ｌ、Ｓ＋Ｍ、Ｓ＋Ｌ等のドットサイズの組み合わせの名称であってもよいし、番号であってもよい。
【００６８】
符号印刷部１２６Ａは、記録ヘッド３０と移動機構６０とを制御して、選択部１２７で選択された記憶部（ここでは、第１記憶部１２１Ａ１〜第３記憶部１２１Ａ３のうちのいずれか）に記憶された複数の吐出条件に対応する複数の識別符号を記録媒体５に印刷させる。
【００６９】
印刷条件設定部１１１Ａのプライマ吐出条件入力部１１１Ａｃは、記録媒体５に印刷された複数の識別符号のうちの１つを入力可能に構成されている。つまり、選択部１２７で選択された記憶部（ここでは、第１記憶部１２１Ａ１〜第３記憶部１２１Ａ３のうちのいずれか）が記憶している吐出条件に対応する識別符号の中から１つの識別符号を入力できるように構成されている。言い換えれば、選択部１２７で選択されなかった記憶部が記憶している吐出条件に対応する識別符号は入力できないように構成されている。
【００７０】
このように、本実施形態に係るプリンタ１においては、プライマの吐出条件に係るパラメータとして複数のパラメータが用意されており、ユーザーは目的に応じたパラメータを選択することができる。具体的には、ユーザーは、インクの定着性の好適化を目的とする場合にはパラメータとしてプライマの吐出密度を選択することができ、印刷の意匠性の向上を目的とする場合にはパラメータとしてプライマの吐出パターンやドットサイズを選択することができる。
【００７１】
以上、いくつかの実施の形態について説明したが、ここに開示するプリンタ１は、上記した実施形態に限定されない。例えば、上記した実施形態ではプライマおよびインクは紫外線硬化性のプライマおよびインクであったが、それには限定されない。プライマおよびインクは、例えば熱硬化性であってもよい。
【００７２】
また、上記した第２実施形態では、プライマの吐出条件のパラメータとして、プライマの吐出密度、吐出パターン、ドットサイズが択一的に選択可能であったが、プライマの吐出条件のパラメータはマトリクスになっていてもよい。例えば、左右方向に吐出密度を振るとともに、前後方向に吐出パターンを振るようなテストパターンを形成してもよい。ユーザーが３つ以上のパラメータの中から２つを選択できるように構成されていてもよい。
【００７３】
上記した実施形態では、プリンタ１はフラットベッドタイプのプリンタであったが、プリンタの構成は特に限定されない。例えば、ここに開示される技術は、記録媒体がロールから供給されるタイプのプリンタに対して適用されてもよい。
【符号の説明】
【００７４】
１            プリンタ
５            記録媒体
３０          記録ヘッド
３１          プライマ吐出ヘッド
３２          インク吐出ヘッド
３２Ｃ        第１インク吐出ヘッド
３２Ｍ        第２インク吐出ヘッド
６０          移動機構
１００        制御装置
１１１        印刷条件設定部
１１１ｃ      プライマ吐出条件入力部
１１１ｄ      プライマ吐出条件登録部
１２０        テストパターン印刷部
１２１        プライマ吐出条件記憶部
１２１Ａ１    第１記憶部（記憶部）
１２１Ａ２    第２記憶部（記憶部）
１２１Ａ３    第３記憶部（記憶部）
１２２        インク吐出条件記憶部
１２３        符号記憶部
１２４        プライマ吐出部
１２５        インク吐出部
１２６        符号印刷部
１２７        選択部
Ｐｒ          プライマ
Ｉｎ          インク
Ｐ１〜Ｐ１０  テストパターン
Ｓ１〜Ｓ１０  識別符号
Ｃ            シアンインク（第１インク）
Ｍ            マゼンタインク（第２インク）
【図１】
2019155823.tif 000003
【図２】
2019155823.tif 000004
【図３】
2019155823.tif 000005
【図４】
2019155823.tif 000006
【図５】
2019155823.tif 000007
【図６】
2019155823.tif 000008
【図７】
2019155823.tif 000009
【図８】
2019155823.tif 000010